(57)【要約】【課題】コントラスト方式のＡＦ（自動焦点調節）機能を有するレンズ交換式撮像システムにおいて、画像及び音声データの記録性能を向上させる。【解決手段】動画の撮影機能を有し、レンズ交換が可能な撮像装置において、動画撮影の際、装着されたレンズの種別情報に応じて自動焦点調節の制御を変更する。例えば、焦点距離の変更に伴ってピントがずれるバリフォーカルレンズの装着時にはレンズの焦点距離情報を得て（Ｓ１０）、フォーカス位置ずれ方向及び量を求めて（Ｓ１１）、フォーカス駆動範囲を限定してコントラストＡＦを行う（Ｓ１６）。また焦点距離の変更に伴ってピントがずれないレンズの装着時には、コントラストＡＦの制御を行わない旨を表示し（Ｓ１８）、ＡＦボタンの操作時のみコントラストＡＦを行う（Ｓ１９→Ｓ１６）。手動焦点調節時にはフォーカス操作環を回転すべき方向を表示して撮影者に知らせる（Ｓ１５）。【選択図】図３
2011118021.tif 000002
【特許請求の範囲】
【請求項１】
動画の撮影機能を有し、レンズ交換が可能な撮像装置であって、
撮像素子による撮像信号の高周波成分を抽出する高周波成分抽出手段と、
前記高周波成分抽出手段の情報に基づいて、装着されたレンズに係る自動焦点調節の制御を行う制御手段を備え、
前記制御手段は、焦点距離の変更に伴って焦点がずれるレンズが装着された場合と焦点距離の変更に伴って焦点がずれないレンズが装着された場合とで前記動画の撮影における前記自動焦点調節の制御を変更することを特徴とする撮像装置。
【請求項２】
前記装着されたレンズの焦点距離に対応する情報を検出する焦点距離検出手段をさらに備え、
前記制御手段は装着されたレンズについて取得した情報に基づいて当該レンズが、焦点距離の変更に伴って焦点がずれるレンズである場合、前記焦点距離検出手段により検出された焦点距離に対応する情報に基づいて前記自動焦点調節を制御することを特徴とする、請求項１記載の撮像装置。
【請求項３】
前記制御手段は、装着されたレンズが単焦点レンズ、又は焦点距離の変更に伴って焦点がずれないズームレンズの場合、ユーザによって前記自動焦点調節の設定が行われていても、前記自動焦点調節を行わずにその旨を報知するとともに、該報知後にユーザによって前記自動焦点調節の操作指示が行われた場合には前記自動焦点調節を行うように制御することを特徴とする、請求項１又は２記載の撮像装置。
【請求項４】
前記制御手段は、焦点距離の変更に伴って焦点がずれるレンズが装着され、かつ前記自動焦点調節の設定が行われていない場合、前記装着されたレンズの焦点距離に対応する情報に基づいて、前記装着されたレンズのフォーカス操作環の回転すべき方向を表示させるように制御することを特徴とする、請求項１から３のいずれか１項記載の撮像装置。
【請求項５】
動画の撮影機能と、撮像素子による撮像信号の高周波成分を抽出する高周波成分抽出機能とを有し、レンズ交換が可能な撮像装置の制御方法であって、
焦点距離の変更に伴って焦点がずれるレンズが装着された場合と焦点距離の変更に伴って焦点がずれないレンズが装着された場合とで前記動画の撮影における前記自動焦点調節の制御を変更することを特徴とする撮像装置の制御方法。
【発明の詳細な説明】
【技術分野】
【０００１】
本発明は、レンズ交換が可能であって動画の撮影機能を有するカメラ等の撮像装置とその制御方法に関する。
【背景技術】
【０００２】
近年、撮影レンズの高倍率化、撮像素子の高画素化及び高密度化が加速化している。また静止画及び動画を撮影可能な撮像装置では、静止画撮影にて記録画素数が選択可能なものや、動画撮影にて従来のテレビジョン方式だけでなくハイビジョン方式で撮像可能な撮像装置が普及してきている。交換レンズシステムを有する撮像装置において、カメラ及びレンズは発売時期が後になる程、撮像性能や解像力の向上、高画質化、高機能化が進み、様々な形態へと広がりつつある。例えば初期の交換レンズシステムでは銀塩写真画像のみに対応していたものが、高解像度のデジタル静止画とハイビジョン動画を撮影可能な装置が開発され、新旧の様々なカメラやレンズが存在する。カメラとレンズの組み合せについては、市場性、商品性、互換性において各種の組み合せで問題なく撮影を行える事が望ましい。つまりカメラが動画対応であって、かつ撮影レンズが静止画専用で設計されている組み合せにて、ズーム機能やオートフォーカス機能が充分に発揮されないと、交換レンズシステムの市場性、商品性に関して魅力を損なう虞がある。
【０００３】
特許文献１では装着レンズを識別し、レンズの最小駆動ピッチをカメラの解像空間周波数情報によって変更することで、どのようなカメラとレンズの組み合せにおいても良好な自動焦点調節性能を実現可能としている。また特許文献２には、撮影状況に応じて、出力される画像信号から被写体のコントラスト成分に応じた評価値をレンズの移動位置ごとに算出し、レンズ駆動方向を決定することにより、焦点調節処理の高速化を達成する方法が記載されている。
【０００４】
オートフォーカス（以下、ＡＦと略記する）の制御方式には、位相差検出方式と、コントラスト方式が知られている。後者の方式のＡＦ（以下、コントラストＡＦという）では撮像素子から得られる映像信号中の高周波成分を抽出し、この高周波成分に応じた評価値が最大となるようにレンズを駆動して焦点を調節する。特許文献３には、位相差検出方式のＡＦとコントラストＡＦを併用した、ハイブリッドＡＦ方式のカメラが提案されている。このカメラでは予めコントラストＡＦで検出可能な移動量（刻み）に基づいて補正量を決め、その補正移動量に基づいて位相差検出方式のＡＦにてレンズを動かす移動量を決めるため、高速な合焦動作が可能となる。
【先行技術文献】
【特許文献】
【０００５】
【特許文献１】特開２００６−１７８２１１号公報
【特許文献２】特開２００２−０７２０７４号公報
【特許文献３】特開２００７−１０８２９３号公報
【発明の概要】
【発明が解決しようとする課題】
【０００６】
ところで動画撮影時のＡＦ方式としてはコントラストＡＦが用いられるが、この方式では一般的に合焦までに時間がかかるため、動画撮影時にピントの合っていない映像のデータが記録されてしまうことがあり得る。また一眼レフ用交換レンズは、位相差検出方式のＡＦを想定して設計されているため、コントラストＡＦを行うとモータ等の動作音が動画撮影時に記録されてしまうことがあり得る。
【０００７】
従来の一眼レフ用交換レンズにはズーム駆動を行うと画角変化に伴って焦点がずれるレンズ（バリフォーカルレンズ）が存在し、動画中にズームを行った場合、コントラストＡＦで合焦するまで時間がかかってしまうことが問題となる。また、動画撮影中にユーザがマニュアル操作でフォーカス調節を行う際、フォーカス操作環を回転すべき方向が分からない場合、合焦するまでの画像データも記録されてしまうことがあり得る。その原因はユーザがフォーカス操作環をどちらか一方の向きに試行的に回転させ、フォーカスが合う方向を見極めてから焦点を合わせる必要があることによる。
また、ズーム駆動時の画角変化に伴って焦点がずれないレンズをカメラに装着した場合、ユーザはピントがずれていないことに気づかずにＡＦボタンを押し、再び合焦するまでの非合焦状態の画像データが記録されてしまうことがあり得る。
【０００８】
本発明は、カメラに装着されるレンズの種別に応じて、動画撮影における自動焦点調節の制御を変更することで、画像及び音声データの記録性能を向上させることを目的とする。
【課題を解決するための手段】
【０００９】
上記課題を解決するために本発明に係る装置は、動画の撮影機能を有し、レンズ交換が可能な撮像装置であって、撮像素子による撮像信号の高周波成分を抽出する高周波成分抽出手段と、前記高周波成分抽出手段の情報に基づいて、装着されたレンズに係る自動焦点調節の制御を行う制御手段を備える。前記制御手段は、焦点距離の変更に伴って焦点がずれるレンズが装着された場合と焦点距離の変更に伴って焦点がずれないレンズが装着された場合とで前記動画の撮影における前記自動焦点調節の制御を変更する。
【発明の効果】
【００１０】
本発明によれば、動画撮影時、装置本体に装着されたレンズの種別に応じて自動焦点調節の制御を変更することにより、画像及び音声データの記録性能を向上させることができる。
【図面の簡単な説明】
【００１１】
【図１】本発明の一実施形態に係る撮像システムの構成例を示すブロック図である。
【図２】フォーカス位置のずれ方向と位置ずれ量の算出方法を説明するグラフである。
【図３】動画撮影時のフォーカス制御例を示すフローチャートである。
【発明を実施するための形態】
【００１２】
以下に、本発明の実施形態を添付図面に従って詳細に説明する。図１はレンズ交換が可能な撮像装置のシステム構成例を示したブロック図である。本装置は動画撮影機能と、撮像信号の高周波成分を抽出する高周波成分抽出機能を有しており、レンズユニットＡ（交換レンズともいう）と、カメラユニットＢ（カメラ本体ともいう）から構成される。光学系１は、レンズ１ａ、１ｃを含む固定レンズ群と、変倍機能を有するレンズ群（以下、ズーム群という）１ｂ、フォーカス機能を有するレンズ群（以下、フォーカス群という）１ｄ、開口量を調節するための絞り２により構成される。
【００１３】
レンズユニットＡはレンズ制御部１０を備え、該制御部はマイクロコンピュータ等の演算処理装置を用いて構成される。レンズ制御部１０は、カメラユニットＢのカメラ制御部２０に対し、通信用接点部８，９を介して通信を行い、その指令に従って絞り駆動部５、フォーカス駆動部７を制御する。レンズ制御部１０はレンズユニットＡに関するレンズ情報をメモリに保持しており、該情報は通信用接点部８，９を介してカメラユニットＢのカメラ制御部２０に送られる。
【００１４】
焦点距離検出部３はレンズの焦点距離に対応する情報を検出する。本例ではズーム群１ｂの焦点距離を焦点距離検出部３が検出し、検出情報をレンズ制御部１０に送出する。例えば、ズーム群１ｂの保持枠（図示せず）には位置検出用のブラシが設けられており、ズームレンズの移動に伴って、可変抵抗又はグレイコードパターン等が印刷された基板上をブラシが摺動する。この時の出力信号をズームエンコーダ回路が取り込むことで焦点距離情報が検出され、レンズ制御部１０に取り込まれる。
絞り２は、絞り量検出用の絞りセンサ４によってその開口量が検出され、検出情報がレンズ制御部１０に送られる。レンズ制御部１０は絞り駆動部５に開口量の制御信号を送り、絞り羽根を動かすことで絞り２の開口量を調節する。
【００１５】
フォーカス群１ｄはフォーカス駆動部７によって駆動される。フォーカス位置検出部６は、フォーカス群１ｄの位置情報を検出してレンズ制御部１０に送出する。フォーカス駆動部７に印加される信号のパルス数を図示しない検出器により計数してレンズ制御部１０に取り込むことによって、フォーカス群１ｄの位置検出が行われる。フォーカス位置検出部６及びフォーカス駆動部７は光学系１の焦点調節手段を構成している。
なお図１にはレンズ群を単レンズで示しているが、実際には各レンズ群は複数枚のレンズで構成される。またレンズユニットによっては変倍機構のない単焦点の構成である場合や、フォーカス機能を有さないレンズ構成の場合もあり、結像のためのレンズ構成についてはその如何は問わない。
【００１６】
次にカメラユニットＢを説明すると、撮像素子１１には被写体からの光束を結像するＣＭＯＳ等の素子が用いられる。結像した被写体像は撮像素子１１によって光電変換され、撮像後の映像信号（撮像信号）が図示しないカメラプロセス回路等に出力される。また映像信号は高周波成分抽出回路１２に供給される。該回路では、焦点状態によって変化する映像信号中の高周波成分のレベル又は画像のエッジの先鋭度等による信号成分に基づいて焦点電圧が検出され、検出結果はカメラ制御部２０に取り込まれる。カメラ制御部２０はマイクロコンピュータ等の演算処理装置を用いて構成され、高周波成分抽出回路１２からの焦点電圧の情報を受けて、合焦、非合焦の判定及び前ピン、後ピンの判定を行う。
【００１７】
撮像素子１１から取り込まれた映像信号はカメラ制御部２０を通して表示制御部１３に伝達される。ここで輝度信号及び色差信号への変換処理や、ガンマ補正等の処理が行われた後、映像信号は液晶モニタ等の表示部１４に送られて画像表示が行われるとともに、記録部１９に記録される。撮像素子１１が出力する映像信号を受けて記録部１９は画像データを定期的に書き加え、表示部１４は画像をリアルタイムで表示する。なお本例では、画像出力手段として液晶モニタ等を用いているが、これに限らず光学式ファインダの表示部に画像表示を行ってもよい。
【００１８】
カメラユニットＢはレンズデータマップ１５を所定の記憶部に保持している。カメラ制御部２０はレンズユニットＡのレンズ制御部１０と通信し、レンズユニットＡの種類を識別し、装着されたレンズユニットＡに対応したレンズデータマップ１５のデータを取り込む。カメラ制御部２０はレンズ制御部１０から取得した、焦点距離検出部３の検出情報、絞りセンサ４の検出情報、フォーカス位置検出部６の検出情報等を、レンズデータマップ１５のデータと比較する。そして、カメラ制御部２０は後述の方法を用いて、現時点のフォーカス位置が合焦位置であるか、又は前ピン若しくは後ピンであるかを判断する。現時点のフォーカス位置を示す情報は表示制御部１３を介して表示部１４に送られて表示される。
【００１９】
撮影者がカメラを操作する場合に使用する操作要素として図１には、動画／静止画選択スイッチ１６、動画撮影開始ボタン１７、ＡＦボタン１８のみを示す。動画／静止画選択スイッチ１６は、撮影者が動画撮影又は静止画撮影を選択するための操作手段であり、該スイッチによる操作指示はカメラ制御部２０に送出される。動画撮影開始ボタン１７は、撮影者が動画撮影の開始をカメラに指示するための操作手段であり、撮影者は、画角やフォーカスを合わせてから動画撮影開始ボタン１７を押して動画撮影の開始をカメラ制御部２０に指示する。ＡＦボタン１８はＡＦ開始をカメラに指示するための操作手段である。動画／静止画選択スイッチ１６の操作によって静止画撮影が選択された場合には、例えば位相差検出方式のＡＦにて静止画の撮影が行われる。その際、カメラ制御部２０は図示しない焦点状態検出回路による検出結果に基づき、レンズ制御部１０を介してフォーカス駆動部７を制御し、フォーカス群１ｄを駆動させる。また、撮影者がＡＦボタン１８を操作した場合、カメラ制御部２０は高周波成分抽出回路１２からの焦点電圧に基づいてフォーカス群１ｄの駆動量を演算で求め、レンズ制御部１０に指令を出し、フォーカス駆動部７によりフォーカス群１ｄを駆動させる。
【００２０】
次に、本実施形態におけるフォーカス位置のずれ方向及び量の算出方法について、図２を用いて説明する。図２はレンズデータマップ１５のデータ例をグラフで表現した図であり、カメラユニットＢはレンズデータマップ１５のデータ群をメモリに記憶している。
図２の縦軸は焦点距離（Ｚｐ）を示し、横軸はフォーカス群１ｄの光軸における位置（Ｆｐ）を被写体の位置に置き換えて至近位置から無限遠まで示している。グラフ曲線Ｇ（１．２）はカメラから被写体までの距離（被写体距離）が１．２ｍの時の合焦曲線であり、グラフ曲線Ｇ（３）は被写体距離が３ｍの時の合焦曲線をそれぞれ示している。図中の合焦点Ｐ０ではＺｐがＺ０であって、ＦｐがＦ０であり、合焦点Ｐ１ではＺｐがＺ１であって、ＦｐがＦ１である。また、Ｚｐ＝Ｚ０の直線とグラフ曲線Ｇ（１．２）との交点におけるＦｐをＧ０とし、Ｚｐ＝Ｚ１の直線とグラフ曲線Ｇ（１．２）との交点におけるＦｐをＧ１とする。差分ＸはＧ１−Ｆ０である。
【００２１】
いま、動画撮影の開始時点における合焦点が点Ｐ０、つまりズーム値Ｚ０、フォーカス値Ｆ０であるとした場合、この点Ｐ０に対して最も近傍にある合焦曲線Ｇ（１．２ｍ）が参照される。ズーム値が撮影者によってＺ１まで変化してズームレンズが移動した場合、この時の合焦曲線Ｇ（１．２）によると、Ｇ１が合焦時のフォーカス位置に相当する値を示すことになる。差分Ｘ（＝Ｇ１−Ｆ０）で示す範囲内にフォーカス駆動範囲を限定すれば、フォーカス位置の探索範囲を狭めることができ、よってフォーカス位置を探し出すまでに要する時間が短縮化される。また、差分Ｘの値が正値であれば、フォーカス群１ｄを無限遠側に移動させれば合焦状態が得られ、逆に差分Ｘの値が負値であればフォーカス群１ｄを至近側に移動させれば合焦状態が得られることが分かる。
次にカメラ制御部２０による動画撮影時の制御動作について、図３に示すフローチャートに従い順を追って説明する。なお以下の処理はカメラ制御部２０にて解釈及び実行されるプログラムに従って行われる。
【００２２】
まずＳ１では撮像画像サイズ、つまり撮影画素数に係る情報の取得処理が行われる。カメラ制御部２０は、撮影者が予めカメラへの操作指示によって設定している画像サイズ（例えば、ＳＤ画像又はフルＨＤ画像）を判別し、予め定められた許容錯乱円の径を選択する。解像度が高いと許容錯乱円径は小さくなる。
次に絞り値の取得処理が行われる（Ｓ２）。カメラ制御部２０はレンズ制御部１０、通信用接点部８及び９を通じて、絞りセンサ４の検出情報を取得する。そしてカメラ制御部２０はレンズの焦点距離（図２のＺ０参照）の情報を取得する（Ｓ３）。つまり、焦点距離検出部３の検出情報がレンズ制御部１０、通信用接点部８及び９を通じてカメラ制御部２０に送られる。
【００２３】
Ｓ４では、前記Ｓ１乃至３で取得した情報に基づいて、カメラ制御部２０が許容錯乱円を決定し、絞り値及び焦点距離と許容錯乱円に基づいて被写界深度を算出する。焦点距離が長いほど、また絞り値が小さい（明るい）ほど被写界深度は狭くなる。次のＳ５にてカメラ制御部２０は、レンズ制御部１０、通信用接点部８及び９を通じて、フォーカス位置検出部６の検出したフォーカス位置（図２のＦ０参照）の情報を取得する。
Ｓ６にてカメラ制御部２０はレンズ制御部１０からレンズ情報を取得し、カメラユニットＢにてレンズデータマップ１５のデータを予めメモリに保持しているか否かを判定する。その結果、カメラユニットＢが該データを保持していない場合、Ｓ１６に進むが、レンズデータマップ１５のデータを保持している場合、Ｓ７に進む。
【００２４】
Ｓ７にてカメラ制御部２０は、装着されたレンズに対応したレンズデータマップ１５のデータ及びレンズ種別を示すデータを取得する。次のＳ８にてカメラ制御部２０は前記Ｓ３で取得した焦点距離情報（Ｚ０）に基づき、撮影者の操作指示によってズーム駆動が行われたか否かを判定する。その結果、ズーム駆動が行われた場合、Ｓ９に進むが、ズーム駆動が行われていなければＳ１７に進む。
【００２５】
Ｓ９はレンズの種別を判別するステップであり、カメラ制御部２０は、前記Ｓ７で取得したレンズ種別の情報に基づいて、装着されたレンズを判別する。これは、焦点距離の変更に伴って焦点がずれるレンズがカメラ本体に装着された場合と、焦点距離の変更に伴って焦点がずれないレンズがカメラ本体に装着された場合とを判別する処理である。つまり、ズーム駆動による焦点距離の変更時に焦点のずれを伴うバリフォーカルレンズと、単焦点レンズ、ズーム駆動を行っても焦点のずれを生じないズームレンズのうち、どのレンズがカメラユニットＢに装着されているかが判別される。その結果、装着されたレンズがバリフォーカルレンズと判別された場合、Ｓ１０に進み、判別結果がそれ以外のレンズであると判別された場合、Ｓ１７へ進む。
【００２６】
Ｓ１０にてカメラ制御部２０は、焦点距離検出部３から焦点距離（図２のＺ１参照）の情報を取得し、Ｓ１１では、前述した方法でフォーカス群１ｄの位置ずれ方向及び位置ずれ量を算出する。ここで用いる情報は、前記Ｓ３で取得した焦点距離と、前記Ｓ１０で取得した焦点距離の差分と、前記Ｓ５で取得したフォーカス位置Ｆ０、及び前記Ｓ７で取得したレンズ情報である。これらの情報に基づいて、フォーカス群１ｄを、どの方向にどれだけの量で移動させれば合焦状態が得られるかについての演算処理が実行される。
【００２７】
次のＳ１２では、前記Ｓ１１で取得した差分Ｘが、前記Ｓ４で算出した被写界深度と比較される。カメラ制御部２０は差分Ｘの大きさが該被写界深度より大きいか又は小さいかを判定し、差分Ｘの示す位置ずれ量が被写界深度よりも大きい場合、Ｓ１３に進むが、位置ずれ量が被写界深度以下であればＳ１７に進む。Ｓ１３にて、カメラ制御部２０は撮影者の操作により、カメラ及びレンズがＡＦ設定となっているか否かを判定し、ＡＦ設定がなされている場合、Ｓ１４へ進む。またフォーカス操作環を手動操作するマニュアルフォーカス（ＭＦ）設定がなされている場合にはＳ１５へ進む。
Ｓ１４にてカメラ制御部２０は、フォーカス駆動部７によりフォーカス群１ｄを動かす際のフォーカス駆動範囲を限定する。この範囲は、前記Ｓ１１にて算出された位置ずれ方向及び位置ずれ量に基づいて決定される。
【００２８】
Ｓ１５にて表示部１４はカメラ制御部２０からの指令に従い、フォーカス群１ｄを動かす方向（フォーカス操作環の回転方向）を表示する。この方向については、前記Ｓ１１により位置ずれ方向が算出されており、カメラ制御部２０が把握済みである。その後、Ｓ２１に進む。
Ｓ１６にて、コントラストＡＦによるフォーカス制御が行われる。つまり、撮像素子１１から取り込んだ画像信号が高周波成分抽出回路１２に送られて処理され、その高周波成分が最大になるようにカメラ制御部２０が、通信用接点部８及び９、レンズ制御部１０、フォーカス駆動部７を介してフォーカス群１ｄを駆動する。この時、Ｓ１４でフォーカス駆動範囲が制限されていれば、その範囲内でフォーカス群１ｄが駆動される。そしてＳ２０に進む。
【００２９】
Ｓ２０にて合焦判定が行われ、合焦の判定が下された場合、Ｓ２１に進むが、非合焦の場合にはＳ１６に戻る。次のＳ２１ではズーム駆動の終了判定処理が行われ、カメラ制御部２０は、通信用接点部８及び９、レンズ制御部１０を通じて、焦点距離検出部３から検出情報を取得する。そしてカメラ制御部２０は、これを前記Ｓ１０で取得した焦点距離と比較し、ズーム駆動中であるか否かを判定する。その結果、ズーム駆動が行われている場合、Ｓ９に戻るが、ズーム駆動が行われていなければＳ２２に進む。Ｓ２２では動画撮影の終了判別処理が行われ、動画撮影中であればＳ８に戻り、動画終了の場合、上記一連の処理が終了する。
Ｓ１７では、前記Ｓ１３と同様にＡＦ設定の如何が判定され、ＡＦ設定がなされていればＳ１８へ進むが、マニュアルフォーカス（ＭＦ）設定の場合にはＳ２２へ進む。
【００３０】
Ｓ１８にてコントラストＡＦの中止表示が行われる。この場合、撮影者によって予めＡＦ設定がなされているが、ズーム駆動によるフォーカス群１ｄの位置ずれは光学的に起こらない。よって、カメラ制御部２０の指令に従って表示部１４は、フォーカス駆動を行わない旨のメッセージ等を表示することでユーザに報知する。
撮影者が前記Ｓ１８にてフォーカス駆動が行われないことを確認した上で、次のＳ１９にてＡＦボタン１８の操作状態がカメラ制御部２０によって判定される。Ｓ１８での報知後に撮影者がＡＦボタン１８を操作した場合、Ｓ１６へ進むが、ＡＦボタン１８が操作されなかった場合にはＳ２２に進む。
以上のように本実施形態に係る撮像装置は、動画撮影時にて、交換レンズの判別情報に応じてコントラスト方式による自動焦点調節の制御を変更する。これにより、非合焦状態の画像データが記録されないように回避し、より多くの合焦画像のデータを記録することができる。また、ズーム駆動に伴ってフォーカス位置がずれない交換レンズがカメラ本体に装着されている場合には、ＡＦ制御を行わないことで、動画撮影時の雑音（レンズ作動音等）が記録されないように防止できる。そして、動画撮影に最適なフォーカス制御が行われるため、撮影者が判別できないような精度での、合焦のためのフォーカス駆動を行わないことで省電力化を実現できる。
【００３１】
なお本実施形態では、撮影者にＡＦ状態を液晶モニタで提示したが、これに限らず、例えば有機ＥＬモニタや、光学ファインダ内の表示部にＡＦ情報を表示させる形態をとってもよい。また本発明の実施においてはデジタル一眼レフカメラに限らず、レンズ交換式の撮像システムにて動画撮影機能を有する各種撮像装置への適用が可能である。
【符号の説明】
【００３２】
１  光学系
２  絞り
３  焦点距離検出部
４  絞りセンサ
５  絞り駆動部
６  フォーカス位置検出部
７  フォーカス駆動部
１０  レンズ制御部
１１  撮像素子
１２  高周波成分抽出回路
１４  表示部
１５  レンズデータマップ
２０  カメラ制御部
【図１】
2011118021.tif 000003
【図２】
2011118021.tif 000004
【図３】
2011118021.tif 000005